(57)【要約】【課題】  温度センサーを遊動しないようにコアに固着して安定に温度を検出する高圧変圧器を提供する。【解決手段】  本発明の高圧変圧器は、コア１０と、前記コア内に配置されるコイル２０と、前記コイルの温度を感知するための温度センサー４０と、前記温度センサーを前記コアに堅く付着するための固定部３０，５０とを含んでなり、前記固定部は、前記温度センサーを内部に収容する保護カバー５０と、前記保護カバーを前記コアに固定するリベット３０とを含み、前記保護カバーは、前記リベットが貫通する結合孔５１を含み、前記固定部は、前記コイルを接地させる接地要素２１，２２，２３と前記保護カバーの両方を堅く固定させ、前記保護カバーは絶縁材からなる。【選択図】  図１
2004228558.tif 000002
【特許請求の範囲】
【請求項１】
コアと、
前記コア内に配置されるコイルと、
前記コイルの温度を感知するための温度センサーと、
前記温度センサーを前記コアに堅く付着するための固定部と
を含んでなることを特徴とする高圧変圧器。
【請求項２】
前記固定部は、
前記温度センサーを内部に収容する保護カバーと、
前記保護カバーを前記コアに固定するリベットと
を含むことを特徴とする請求項１に記載の高圧変圧器。
【請求項３】
前記保護カバーは、前記リベットが貫通する結合孔を含むことを特徴とする請求項２に記載の高圧変圧器。
【請求項４】
前記固定部は、前記コイルを接地させる接地要素と前記保護カバーの両方を堅く固定させることを特徴とする請求項２に記載の高圧変圧器。
【請求項５】
前記保護カバーは絶縁材からなることを特徴とする請求項２に記載の高圧変圧器。
【請求項６】
相互結合されたＥ形コア及びＩ形コアと、
前記Ｅ形コアの空間内に配置された１次コイル、及び２次コイルと、
前記２次コイルの温度を感知するための温度センサーと、
前記温度センサーを収容する保護カバーと、
前記保護カバーを前記Ｅ形コアに付着するリベットと
を含んでなることを特徴とする高圧変圧器。
【請求項７】
前記保護カバーは、前記リベットが貫通する結合孔を含むことを特徴とする請求項６に記載の高圧変圧器。
【請求項８】
前記リベットは前記保護カバーを前記Ｅ形コイルに付着させることを特徴とする請求項６に記載の高圧変圧器。
【請求項９】
前記保護カバーは絶縁材から作られることを特徴とする請求項６に記載の高圧変圧器。
【請求項１０】
前記温度センサーは、
前記温度センサーの外形をなすフレームと、
前記２次コイルに対向し前記２次コイルの温度を感知する作用板と、
前記１次コイルに電気的に連結される多数の入力線と、
前記温度センサーの動作をオン／オフ制御するため、前記作用板の下に配置される可動接点及び固定接点と
を含むことを特徴とする請求項７に記載の高圧変圧器。
【請求項１１】
前記可動接点は前記フレームの内部で感知された温度に応じて前記固定接点に対して接触又は分離し、前記可動接点及び前記固定接点は前記入力線に電気的に連結されることを特徴とする請求項１０に記載の高圧変圧器。
【請求項１２】
前記保護カバーは前記温度センサーが透視できるように透明材から作られることを特徴とする請求項６に記載の高圧変圧器。
【請求項１３】
前記保護カバーは前記温度センサーのフレームを取り囲む方向に延長されることを特徴とする請求項１０に記載の高圧変圧器。
【請求項１４】
前記フレームの表面は、前記フレームが前記保護カバーからスライドすることを防止するため、前記保護カバーに付着されることを特徴とする請求項１０に記載の高圧変圧器。
【請求項１５】
前記入力線は前記保護カバーの外部に突出するように前記フレームの一側に連結され、前記１次コイルに直列で連結されることを特徴とする請求項１０に記載の高圧変圧器。
【請求項１６】
前記Ｅ形コアには、前記保護カバーの結合孔と一致するように通孔が形成され、前記リベットは前記通孔及び前記結合孔を貫通して前記温度センサーを前記Ｅ形センサーに付着させることを特徴とする請求項７に記載の高圧変圧器。
【請求項１７】
前記高圧変圧器は、
前記２次コイルの一側に連結される接地線と、
前記接地線に連結され、前記２次コイルを前記リベットを介して前記Ｅ形コアに接地させる接地要素と
をさらに含むことを特徴とする請求項８に記載の高圧変圧器。
【請求項１８】
前記２次コイルの屈曲部と前記Ｅ形コア間には設置空間が設けられ、前記温度センサーは前記設置空間内に配置されることを特徴とする請求項７に記載の高圧変圧器。
【請求項１９】
前記温度センサーは前記１次コイルに直列で連結され、前記温度センサーの作用板が前記２次コイルと対向するように位置して温度センサーの遊動を防止するように、前記リベットにより前記Ｅ形コアに付着されることを特徴とする請求項１０に記載の高圧変圧器。
【請求項２０】
前記２次コイルの温度は設定温度以上であると、前記可動接点が前記固定接点に連結されなくて、前記温度センサーをオフさせて前記高圧変圧器の過熱を防止することを特徴とする請求項１１に記載の高圧変圧器。
【発明の詳細な説明】
【技術分野】
【０００１】
本発明はコイルの温度を検出するための温度センサーを備える高圧変圧器に関するものである。
【背景技術】
【０００２】
高圧変圧器は外部電源から供給された入力電圧を高電圧に昇圧して出力する機器で、電子レンジなどの電子製品に広く適用されている。
【０００３】
このような高圧変圧器は、多数の鉄心が積層されてなるＥ形コアとＩ形コアを互いに結合し、前記Ｅ形コアと前記Ｉ形コア間に１次コイル、２次コイルなどの電気部品を介在させることにより製造される。
【０００４】
通常、高圧変圧器は外部電源と負荷との間に電気的に連結され、外部電源の電圧を昇圧して負荷に供給するが、過熱すると、負荷に連結される２次コイルの温度があまり高く上昇することになる。
【０００５】
電子レンジなどのように、高圧を用いて機器を作動させるようになった電子製品に提供される高圧変圧器には、過熱防止のための温度センサーを設け、この温度センサーを２次コイルの近くに設置し、２次コイルの温度に応じて高圧変圧器の作動を制御するようになっている。この温度センサーは１次コイルに電気的に直列で連結され、設定温度以上であると、１次コイルに供給される電源を遮断して高圧変圧器の作動を停止させる。
【０００６】
高圧変圧器の２次コイルの温度を感知するために温度センサーを手作業で設置するが、この温度センサーを固定せずに単に２次コイルの近くに位置させる。この温度センサーが元の位置から動くと、２次コイルの温度を正確に検出し難い。よって、高圧変圧器の製造の際、温度センサーが元の位置に置かれているかを確認しなければならないので、面倒である。
【０００７】
さらに、高圧変圧器の製造の際、温度センサーが元の位置に置かれていても、高圧変圧器の作動時に発生する振動などにより温度センサーが元の位置から離脱するおそれが高いため、より安定に温度センサーを設置して２次コイルの温度を正確に検出する方案が求められている。
【発明の開示】
【発明が解決しようとする課題】
【０００８】
したがって、本発明は前述したような従来技術の問題点を解決するためになされたもので、その目的は、温度センサーの遊動を防止してコイル温度が正確に検出できるようにした高圧変圧器を提供することにある。
【課題を解決するための手段】
【０００９】
前記目的を達成するため、本発明は、コアと、前記コア内に配置されるコイルと、前記コイルの温度を感知するための温度センサーと、前記温度センサーを前記コアに堅く付着するための固定部とを含んでなる高圧変圧器を提供する。
【００１０】
前記固定部は、前記温度センサーを内部に収容する保護カバーと、前記保護カバーを前記コアに固定するリベットとを含む。
【００１１】
前記保護カバーは、前記リベットが貫通する結合孔を含む。
【００１２】
前記固定部は、前記コイルを接地させる接地要素と前記保護カバーの両方を堅く固定させる。
【００１３】
前記保護カバーは絶縁材からなる。
【００１４】
また、本発明は、相互結合されたＥ形コア及びＩ形コアと、前記Ｅ形コアの空間内に配置された１次コイル、及び２次コイルと、前記２次コイルの温度を感知するための温度センサーと、前記温度センサーを収容する保護カバーと、前記保護カバーを前記Ｅ形コアに付着するリベットとを含んでなる高圧変圧器を提供する。
【００１５】
前記保護カバーは、前記リベットが貫通する結合孔を含む。
【００１６】
前記リベットは前記保護カバーを前記Ｅ形コイルに付着させる。
【００１７】
前記保護カバーは絶縁材から作られる。
【発明の効果】
【００１８】
以上説明したように、本発明は、保護カバーを介して温度センサーをコアにリベットで固定することで、温度センサーの遊動を防止することができる。したがって、本発明は、高圧変圧器の製造に際して、温度センサーの設置状態を細密に確認する必要がなく、温度センサーの作用板がずれることなくコイルに対向するように固定されるので、コイルの温度を正確に検出することができ、製品の信頼性を高めることができる。
【発明を実施するための最良の形態】
【００１９】
以下、本発明による好ましい実施例を添付図面に基づいて詳細に説明する。
【００２０】
図１は本発明による高圧変圧器の主要部を示す分解斜視図であり、図２は本発明により保護カバーに収容された温度センサーを示す斜視図である。
【００２１】
同図に示すように、本発明による高圧変圧器は、多数のＥ形鉄心１１が積層されてなるＥ形コア１０に２次コイル２０が嵌合され、前記２次コイル２０の温度を検出するための温度センサー４０を含む。
【００２２】
前記温度センサー４０は、外形をなすフレーム４１と、前記２次コイル２０に対向する作用板４２と、後述する１次コイル６０に電気的に連結する入力線４３とからなる。前記フレーム４１の内部には、検出温度に応じて可動接点が固定接点に接触するか又は分離してオン／オフ動作をし、可動接点及び固定接点は前記入力線４３にそれぞれ電気的に接続されるとともに、前記作用板４２の内側に設けられている。したがって、作用板４２を検出しようとする２次コイル２０に対向するように設置することが好ましい。
【００２３】
前記保護カバー５０は内部に収容された温度センサー４０を絶縁するための材質から作られるが、作業者が内部の温度センサー４０を確認できるように透明にする。
【００２４】
前記保護カバー５０は内部に温度センサー４０のフレームが収容されるように長手方向に延長されるが、内部にフレーム４１の表面が密着して外部に離脱しない。前記フレーム４１の一側に連結された入力線４３は保護カバー５０の外部に引き出されて１次コイル６０に直列で連結される。
【００２５】
前記温度センサー４０は保護カバー５０の内部に挿入され、リベット３０によりＥ形コア１０に固着される。すなわち、前記Ｅ形コア１０の貫通孔１２に前記保護カバー５０の結合孔５１を合致させた後、リベット３０で固定する。
【００２６】
一方、２次コイル２０の一端には接地線２１が連結され、この接地線２１には接地リング２２が連結される。接地リング２２に結合孔２３が形成される。したがって、保護カバー５０の結合孔５１とともに貫通孔１２に合致させた状態で、リベット３０で固定させることができる。
【００２７】
図３は本発明による高圧変圧器の温度センサーの設置状態を示す斜視図である。
【００２８】
同図に示すように、高圧変圧器は、多数のＥ形鉄心１１が積層されてなるＥ形コア１０と、多数のＩ形鉄心７１が積層されてなるＩ形コア７０とが結合され、前記Ｅ形コア１０と前記Ｉ形コア７０間に、高圧を発生させるための電気部品、つまり２次コイル２０、１次コイル６０などの電気部品が介在される。
【００２９】
前記Ｅ形コア１０の外部に２次コイル２０の屈曲部が露出され、この屈曲部は前記Ｅ形コア１０との間に設置空間１３を有し、この設置空間１３に、保護カバー５０に収容された温度センサー４０が設置される。この際、温度センサー４０の作用板４２が２次コイル２０に対向するようにリベット３０により固定される。したがって、温度センサー４０の遊動が防止される。
【００３０】
図４は本発明による、温度センサーが１次コイルに直列で連結された状態を示す回路図である。
【００３１】
高圧変圧器の入力電圧（Ｖｉｎ）が１次コイル６０に印加され、２次コイル２０を通じて昇圧された電圧（Ｖｏｕｔ）が出力される。
【００３２】
前記１次コイル６０に温度センサー４０が直列で連結され、この温度センサー４０の作用板４２は２次コイル２０に対向するように設置される。２次コイル２０の温度が設定温度以上に上昇すると、内部の可動接点が分離してオフ状態となり、１次コイル６０に印加される入力電源が遮断される。したがって、高圧変圧器の作動が停止するので、変圧器の過熱を防止することができる。
【図面の簡単な説明】
【００３３】
【図１】本発明による高圧変圧器の主要部を示す分解斜視図である。
【図２】本発明による保護カバーに収容された温度センサーを示す斜視図である。
【図３】図２の温度センサーをＥ形コアに設置した状態を示す斜視図である。
【図４】本発明による温度センサーが１次コイルに直列で連結された状態を示す回路図である。
【符号の説明】
【００３４】
１０  Ｅ形コア
２０  ２次コイル
３０  リベット
４０  温度センサー
５０  保護カバー
６０  １次コイル
７０  Ｉ形コア
【図１】
2004228558.tif 000003
【図２】
2004228558.tif 000004
【図３】
2004228558.tif 000005
【図４】
2004228558.tif 000006